(57)【要約】      （修正有）【課題】カメラ本体を三脚等に設置した場合においても、バッテリの着脱が可能な電子機器を提供する。【解決手段】電子機器本体に爪部１０６を備え、電子機器本体に着脱可能に装着される外部機器１０３にも爪部１１０を備え、電子機器本体に外部機器が装着される際に爪部１０６と爪部１１０が系合し、電子機器本体にはバッテリ収納面から突出しバッテリ収納面に略垂直な方向に可動するロック部１０７と、ロック部１０７と一体で動くロックノブ１０７ａを備え、外部機器を電子機器本体の底面から爪部１０６と爪部１１０の最大系合量以上に離して配置し、ロックノブ１０７ａは電子機器本体の底面から操作可能な第一の操作面と、バッテリ収納面からも操作可能である第二の操作面を有する。【選択図】図５
2018194773.tif 000002
【特許請求の範囲】
【請求項１】
第１の接点部を有する端子部材が設けられた機器本体と、
前記機器本体に着脱可能に装着され、前記装着された際に前記端子部材の前記第１の接点部に接触して電気的に導通する第２の接点部を有する外部機器と、を備え、
前記機器本体には第一の系合部を備え、前記外部機器にも第二の系合部を備え、
前記機器本体に前記外部機器が装着される際に前記第一の系合部と前記第二の系合部が系合し、
前記機器本体には外部機器装着面から突出し外部機器装着面に垂直な方向に可動するロック部と前記ロック部と一体で動くロックノブを備え、
前記外部機器が装着された際に、前記外部機器を装着された位置に前記ロック部と前記外部機器が系合することによって保持される電子機器において、
前記外部機器を機器本体の底面から前記第一の系合部と前記第二の系合部の最大系合量以上に離して配置し、
ロックノブは前記機器本体の底面から操作可能な第一の操作面と、外部機器装着面からも操作可能である第二の操作面を有することを特徴とする電子機器。
【請求項２】
前記機器本体を底面から見た場合において、前記ロックノブの第二の操作面は前記外部機器装着面よりひっこんで配置されることを特徴とする請求項１に記載の電子機器。
【請求項３】
前記第二の操作面は凹形状を有していることを特徴とする請求項１又は請求項２に記載の電子機器。
【発明の詳細な説明】
【技術分野】
【０００１】
本発明は、例えばデジタルビデオカメラやデジタルスチルカメラ等の撮像装置を含む電子機器に関する。
【背景技術】
【０００２】
デジタルビデオカメラやデジタルスチルカメラ等の電子機器では、外部機器との間で信号を入出力するため入出力コネクタやバッテリが着脱可能に装着されるバッテリ室等が設けられるものがある。
【０００３】
例えばデジタルビデオカメラのカメラ本体に設けられたバッテリ室にバッテリを装着すると、バッテリ室に露出している接点部にバッテリ側の接点部が接触することでカメラ本体に電源が供給される。
【０００４】
ところで、従来バッテリは上方向にバッテリをスライドさせ、バッテリの下部をロック部で保持することで装着する。またバッテリを外す際は、ロック部の保持を外し、バッテリを下方向にスライドさせることでバッテリを外す（特許文献１）。
【先行技術文献】
【特許文献】
【０００５】
【特許文献１】特開２０１４−１２３５０６号公報
【発明の概要】
【発明が解決しようとする課題】
【０００６】
しかし、上記の特許文献１では、デジタルビデオカメラの底面に三脚を取り付ける際に、デジタルビデオカメラと当接する座が広く、バッテリと座が上方向からの投影上重なる場合、バッテリの着脱ができないという問題がある。（通常撮影状態のデジタルビデオカメラの上方向を上として）
そこで、本発明は、デジタルビデオカメラ等の撮像装置を含む電子機器に座が広い三脚を取り付けた際にも、バッテリの着脱可能な電子機器を提供することを目的とする。
【課題を解決するための手段】
【０００７】
上記の目的を達成するために、本発明に係る電子機器は、
第１の接点部を有する端子部材が設けられた機器本体と、前記機器本体に着脱可能に装着され、前記装着された際に前記端子部材の前記第１の接点部に接触して電気的に導通する第２の接点部を有する外部機器と、を備え、前記機器本体には第一の系合部を備え、前記外部機器にも第二の系合部を備え、
前記機器本体に前記外部機器が装着される際に前記第一の系合部と前記第二の系合部が系合し、前記機器本体には外部機器装着面から突出し外部機器装着面に略垂直な方向に可動するロック部と前記ロック部と一体で動くロックノブを備え、前記外部機器が装着された際に、前記外部機器を装着された位置に前記ロック部と前記外部機器が系合することによって保持される電子機器において、前記外部機器を機器本体の底面から前記第一の系合部と前記第二の系合部の最大系合量以上に離して配置し、ロックノブは前記機器本体の底面から操作可能な第一の操作面と、外部機器装着面からも操作可能である第二の操作面を有することを特徴とする。
【発明の効果】
【０００８】
本発明に係る電子機器によれば、デジタルビデオカメラ等の撮像装置を含む電子機器に三脚を取り付けた際にも、バッテリの着脱が可能となる。
【図面の簡単な説明】
【０００９】
【図１】（ａ）は本発明の電子機器の実施形態の一例であるデジタルビデオカメラを前側から見た斜視図、（ｂ）は（ａ）の後側から見た図である。
【図２】（ａ）はバッテリ室をカメラ本体の後側から見た正面図、（ｂ）は（ａ）に示すバッテリ室を下方から斜視図である。
【図３】（ａ）はバッテリ室のロック部を下方から見た斜視図、（ｂ）はロック部の断面図である。
【図４】はバッテリの斜視図である。
【図５】（ａ）はカメラ本体のバッテリ室にバッテリを装着した状態をカメラ本体の後側から見た断面図でありバッテリロックでバッテリが保持されている状態を示す図である。（ｂ）は（ａ）に対してカードでバッテリロックを解除した状態を示す図である。（ｃ）は（ｂ）に対してバッテリが下方向にスライドして、カメラ本体の爪部とバッテリの爪部の系合が外れた状態を示す図である。（ｄ）は（ｃ）に対してバッテリがカメラ本体から外された状態を示す図である。
【図６】（ａ）はカメラ本体のバッテリ室にバッテリを装着した状態でのロックノブとバッテリ室の関係を示す詳細図、（ｂ）はロックノブの凹部にカードの角を当接させた状態の詳細図である。
【発明を実施するための形態】
【００１０】
以下、本発明の実施形態の一例を図面を参照して説明する。
【００１１】
図１（ａ）は、本発明の電子機器の実施形態の一例であるデジタルビデオカメラを前側から見た斜視図である。図１（ｂ）は、図１（ａ）の後側から見た図である。なお、図１（ｂ）では、カメラ本体からバッテリ１０３を取り外した状態を示している。また、本実施形態では、デジタルビデオカメラを撮影者側から見て上下左右とし、被写体側を前側とする。更に、本実施形態は、電子機器として、撮像装置の一例としてのデジタルビデオカメラを例示するが、これに限定されない。
【００１２】
図１に示すように、本実施形態のデジタルビデオカメラは、カメラ本体１００の左側面に表示ユニット１００ａがヒンジ部を介して開閉方向に回動可能に支持されている。カメラ本体１００の前側には、撮像部１０１が設けられ、カメラ本体１００の後側には、図１（ｂ）に示すように、バッテリ室１０２が一体に設けられる。ここで、カメラ本体１００は、本発明の機器本体の一例に相当する。
【００１３】
バッテリ室１０２には、図１（ａ）に示すように、本発明の外部機器の一例に相当する例えばリチウムイオン電池等の二次電池からなるバッテリ１０３が着脱可能に装着される。かかる装着により、バッテリ１０３からカメラ本体１００及び表示ユニット１００ａに電源が供給される。
【００１４】
図２（ａ）は、バッテリ室１０２をカメラ本体１００の後側から見た正面図である。図２（ｂ）は、図２（ａ）に示すバッテリ室１０２を下方から斜視図である。
【００１５】
図２に示すように、バッテリ室１０２は、バッテリ室カバー１０４、バッテリ収納面１０４ａ、端子部材１０５、爪部１０６、ロック部１０７、ロックノブ１０７ａ及びバッテリ室側壁１０８を備える。
【００１６】
バッテリ室カバー１０４は、バッテリ収納面１０４ａを有するカメラ本体１００の後側の外装を構成するカバーであり、カメラ本体１００と一体に形成される。
【００１７】
端子部材１０５は、バッテリ室１０２の上側に配置され、バッテリ室１０２にバッテリ１０３を装着した状態で、バッテリ１０３の後述する導通部１０９に対応する位置に設けられる。
【００１８】
爪部１０６は、バッテリ室１０２の左右両側にそれぞれ上下方向に互いに離間して２カ所（合計４カ所）設けられ、バッテリ室カバー１０４と一体に形成される。爪部１０６は、本発明の第一の系合部の一例に相当する。
【００１９】
ロック部１０７は、ロックノブ１０７ａと一体に形成され、端子部材１０５と上下方向に略対向しバッテリ室１０２の下側に後方にバッテリ収納面１０４ａから延出して設けられ、カメラ本体１００の下面内部に収納可能とされている。なお、ロック部１０７の詳細については、後述する。
【００２０】
バッテリ室側壁１０８は、バッテリ室１０２の左右両側に設けられ、バッテリ室カバー１０４と一体に形成されて、バッテリ室１０２に装着されたバッテリ１０３の左右方向の位置を規制する。
【００２１】
図３（ａ）は、ロック部の構造を説明するためにバッテリ室カバー１０４を除いた状態である。また、バッテリ１０３を保持した状態のロック部１０７を下方から見た斜視図である。図３（ｂ）は、ロック部１０７の断面図であり、黒く塗りつぶされている個所が断面である。
【００２２】
図３に示すように、バッテリ１０３の保持構造は、ロック部１０７と一体で形成されたロックノブ１０７ａ、バネ１２４、バネ押さえ部材１２５、及びバッテリ室カバー１０４で構成されている。バネ１２４は、ロックノブ１０７ａとバネ押さえ部材１２５との間に保持され、バネ押さえ部材１２５はバッテリ室カバー１０４に不図示のビスにより固定されている。
【００２３】
このとき、バネ押さえ部材１２５には、不図示のレール部が設けられ、それに沿ってロックノブ１０７ａは前後方向（図３の矢印Ａ−Ａ’方向）に移動可能となっている。また、バネ１２４は、圧縮された状態でバネ押さえ部材１２５とロックノブ１０７ａとの間に配置される。
【００２４】
そのため、ロックノブ１０７ａは、バネ１２４の付勢力によって常に後側、すなわちバッテリ室１０２側に押し付けられた状態でバッテリ室カバー１０４に当接している。そして、ロック部１０７は、バッテリ室１０２内に突出して配置され、突出部分には、バッテリ室１０２に装着されたバッテリ１０３の後述するロック受け部１５０と当接する。
【００２５】
また、ロックノブ１０７ａの一部は外観面に露出しており、露出部分には、カメラ本体１００の底面から操作用の指掛け部１２３ａとカメラ本体１００の後方のバッテリ収納面１０４ａからの操作用の押しこみ部１０７ｂが形成されている。カメラ本体１００の底面から操作用の指掛け部１２３ａは本発明の第一の操作面の一例に相当する。カメラ本体１００の後方のバッテリ収納面１０４ａからの操作用の押しこみ部１０７ｂは本発明の第二の操作面の一例に相当する。の押しこみ部１０７ｂは凹形状１０７ｃを備えている（図５ｂ参照）。
【００２６】
これにより、指掛け部１２３ａまたは、押しこみ部１０７ｂ、凹形状１０７ｃに指やカードの角部等を利用してロックノブ１０７ａをバネ１２４の付勢力に抗して前側方向（図３（ａ）の矢印Ａ方向）にバッテリ１０３が外せるまで移動操作することが可能になる。
ロックノブ１０７ａがバッテリ１０３を外せる状態まで移動操作することで、ロック部１０７は、バッテリ室１０２から退避してカメラ本体１００の内部にロックノブ１０７ａが収納される。そして、この状態でロックノブ１０７ａから指やカードの角部等を離すと、ロックノブ１０７ａは、バネ１２４の付勢力によって元の位置に復帰する。
【００２７】
図４は、バッテリ１０３の斜視図である。
【００２８】
バッテリ１０３は、電池セル、及び回路基板を内蔵し、図４に示すように、導通部１０９、爪部１１０から構成される。導通部１０９は、バッテリ１０３の上側にバッテリ室１０２の端子部材１０５に対応して設けられる。バッテリ１０３がバッテリ室１０２に装着されると導通部１０９と端子部材１０５は電気的に接続される。爪部１１０は、バッテリ室１０２の爪部１０６に対応して、バッテリ１０３の左右両側にそれぞれ上下方向に互いに離間して２カ所（合計４カ所）設けられている。爪部１１０は、本発明の第二の系合部の一例に相当する。
【００２９】
図５（ａ）〜図５（ｄ）は、バッテリ１０３をバッテリ室１０２から取り外す際の手順を示している。
【００３０】
図５（ａ）は、カメラ本体１００のバッテリ室１０２にバッテリ１０３を装着した状態をカメラ本体１００の後斜め側から見た断面斜視図である。ロック部１０７はバッテリ１０３のロック受け部１５０と当接している。カメラ本体１００のバッテリ室１０２にバッテリ１０３を装着した状態において、バッテリ室１０２の爪部１０６がバッテリ１０３の爪部１１０との系合している状態を示している。また、図５（ａ）は、カメラ本体１００が三脚等に取り付けられている状態で、バッテリ室１０２からバッテリ１０３を取り外す際に必要な一般的なカード１５３の角部をロックノブ１０７ａの凹形状１０７ｃに当接させている図である。
【００３１】
図５（ｂ）は、カメラ本体１００のバッテリ室１０２にバッテリ１０３を装着された状態からバッテリロックを外した状態へ遷移した状態のカメラ本体１００の断面図である。図５（ａ）との差異は、図５（ａ）に示すロックノブ１０７ａがカード１５３により図中の矢印Ｂ方向に押圧され、ロック部１０７がバッテリ室１０２内に収納され、バッテリ１０３のロック受け部１５０とロック部１０７の系合が解除された状態を示している。
【００３２】
図５（ｃ）は、図５（ｂ）に示すバッテリ室１０２内のバッテリ１０３が図中の矢印Ｃ方向に遷移した状態のカメラ本体１００の断面図である。図５（ｂ）との差異の詳細は、バッテリ１０３が図中の矢印Ｃ方向に移動し、バッテリ室１０２の爪部１０６がバッテリ１０３の爪部１１０との系合してない状態となっている。この時のバッテリ１０３の底面はカメラ本体１００の底面より上に配置されている。
【００３３】
図５（ｄ）は、図５（ｃ）に示すバッテリ１０３が図中の矢印Ｄ方向に遷移した状態のカメラ本体１００の断面図である。これにより、カメラ本体１００が三脚等に取り付けられている状態で、バッテリ室１０２からバッテリ１０３を取り外すことができる。またこれの逆の手順を取れば、カメラ本体１００が三脚等に取り付けられている状態で、バッテリ室１０２にバッテリ１０３を取り付けることが可能である。
【００３４】
図６（ａ）は、バッテリ室１０２にバッテリ１０３が装着されている状態をカメラ本体１００の底面方向から見た図である。ロックノブ１０７ａの押しこみ部１０７ｂはバッテリ室１０２内のバッテリ収納面１０４ａより前側に配置されている。これはカメラ本体１００が三脚等に取り付けられている状態で、バッテリ室１０２からバッテリ１０３を外す際に、カードや定規等の薄い形状の物で押しこみ部１０７ｂを目視しない状態でも、押しこみ部１０７ｂを手探りで探しやすくするための構成である。また、ロックノブ１０７ａの押しこみ部１０７ｂには、凹形状１０７ｃが備えられている。
【００３５】
図６（ｂ）は、図６（ａ）の状態に、カード１５３を使用してロックノブ１０７ａを操作する様子を示している。凹形状１０７ｃは、カード１５３等の角部に系合する形状となっている。カード１５３の角部はカード国際規格  ＩＳＯ／ＩＥＣ７８１０に準拠した半径３．１８ｍｍとする。これによりロックノブ１０７ａを目視しない状態でも、カード１５３を使用して手探りで凹形状１０７ｃを探すことが容易となり、かつ凹形状１０７ｃはカード１５３のカメラ本体１００の左右方向の規制となるため、ロックノブ１０７ａを操作しやすい構成となる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３７】
１００  カメラ本体、１０２  バッテリ室、１０３  バッテリ、
１０５  端子部材、１０７  ロック部、１０９  導通部
【図１】
2018194773.tif 000003
【図２】
2018194773.tif 000004
【図３】
2018194773.tif 000005
【図４】
2018194773.tif 000006
【図５】
2018194773.tif 000007
【図６】
2018194773.tif 000008